(57)【特許請求の範囲】
【請求項１】
アウトドアの救難信号発生装置であり、本体及び前記本体の頂壁に設置されて上方に開口したガス入れ空間を含み、前記ガス入れ空間の底壁にはエアバッグが固定的に設置され、前記エアバッグと前記ガス入れ空間の底壁に設置されかつ上方に開口したガス入れ口とが連通され、前記ガス入れ口の中には逆止弁が設置され、前記ガス入れ空間の底壁にはスライド板により上下二つの部分に仕切られた混合空間が設置され、前記混合空間の上下部分にはそれぞれ混合後に発生した大量の水素が貯蔵され、前記混合空間の底壁には回転空間が設置され、前記回転空間と前記混合空間との間には第一回転軸が回転可能に設置され、前記混合空間の中にある前記第一回転軸の末端には攪拌混合用の攪拌オールが設置され、前記回転空間の中にある前記第一回転軸の外表面には混合空間が固定的に設置され、前記混合空間の中に生み出された水素は前記混合空間と前記回転空間とを連通させる第一連通管を介して前記回転空間の中に入り、そして前記混合空間が駆動されて回転し、さらに前記攪拌オールを回転させることにより二つの物質を攪拌混合し、十分に混合してより多くの水素が生み出され、その後、水素は前記回転空間と前記ガス入れ口とを連通させた第二連通管を介して前記ガス入れ口の中に入り、さらに前記逆止め弁により前記エアバッグに入り、前記エアバッグに水素が入ると前記エアバッグが上方に膨張して前記ガス入れ空間の両側の揺動ドアを回転させて開け、この時、前記エアバッグが膨張し続けることにより発生した浮力で前記本体を上昇させ、
前記本体の底壁には下方に開口した凹溝が形成され、前記凹溝の端壁には固定板が設置され、前記凹溝の端壁には制動装置が設置され、前記制動装置の設置により前記固定板が前記凹溝から容易に離れなく、下方へ前記固定板の底部に設置されたプルリングを引くと前記凹溝の頂壁に設置された糸巻き装置が駆動されて回転し、そして前記スライド板が駆動されて左右両側に移動し、前記スライド板にある上下二つの物質は接触して水素を生み出し、水素の発生により生じた浮力が前記本体を上方に移動させられる時、前記糸巻き装置は前記本体の中間に設置された煙発生装置を作動させ、そして前記本体の中に大量の煙を発生させ、これにより救難信号を発信でき、前記第一回転軸が回転して攪拌する時、前記本体の前後両側に設置された発光装置の中に設置された警告灯を前記本体から張り出し、また前記発光装置の中に設置された前記警告灯を発光させ、こうして警告信号を出し、夜に救難信号を発信できることを特徴とするアウトドアの救難信号発生装置。
【請求項２】
前記制動装置は前記凹溝の端壁に中心対称に設置された四つの第一スライド穴を含み、前記第一スライド穴の中には第一スライドロッドがスライド可能に設置され、前記第一スライドロッドは末端が前記固定板の端壁に伸びた引っ掛かり溝の中に位置し、前記第一スライドロッドと前記第一スライド穴の端壁との間には第一ばねが設置されていることを特徴とする請求項１に記載のアウトドアの救難信号発生装置。
【請求項３】
前記糸巻き装置は前記凹溝の頂壁に設置された糸巻き空間を含み、前記糸巻き空間の左側には伝動空間が設置され、前記糸巻き空間の右側にも伝動空間が設置され、前記糸巻き空間の左側にある前記伝動空間と前記糸巻き空間の右側にある前記伝動空間とが対称であり、左右二つの前記伝動空間の間には前記糸巻き空間を貫通する第二回転軸が回転可能に設置され、前記伝動空間の中にある前記第二回転軸の末端には第一傘歯車が固定的に設置され、前記糸巻き空間の中にある前記第二回転軸の外表面にはリールが固定的に設置され、前記リールの外表面には引き紐が巻きつけられ、前記引き紐の末端が前記固定板と固定されていることを特徴とする請求項１に記載のアウトドアの救難信号発生装置。
【請求項４】
前記煙発生装置は前記糸巻き空間の頂壁に設置されたスライド空間を含み、前記スライド空間の底壁には上方に開口した貯蔵溝が形成され、前記スライド空間の端壁には外部に連通した通気孔が中心対称に設置され、前記スライド空間の中にはスライダがスライド可能に設置され、前記スライダの中には貯蔵空間が中心対称に設置され、前記貯蔵空間と前記貯蔵溝の中にはそれぞれ混合後に大量の煙を発生させられる物質が貯蔵され、前記貯蔵空間の頂壁には第二スライド穴が設置され、前記第二スライド穴の中には第二スライドロッドがスライド可能に設置され、前記第二スライドロッドと前記スライダの頂壁との間には第二ばねが設置され、前記第二スライドロッドの底部末端にはバルブが固定的に設置されていることを特徴とする請求項１に記載のアウトドアの救難信号発生装置。
【請求項５】
前記スライダの中には前記スライダを上下に貫通したねじ穴が左右対称に設置され、前記ねじ穴の中にはねじロッドがネジ山により連結され、前記ねじロッドの底部末端が前記伝動空間の中に伸びており、また前記ねじロッドの底部末端には前記第一傘歯車と噛み合った第二傘歯車が固定的に設置され、前記ねじロッドの頂部末端が前記混合空間の左右両側に対称に形成された押し溝の中に伸びており、前記押し溝の中にある前記ねじロッドの末端には前記スライド板と協働される第一カムが固定的に設置され、前記スライド板において前記混合空間から離れた側の末端が前記押し溝の中に伸びており、また前記スライド板において前記混合空間から離れた側の末端と前記押し溝の端壁との間には第三ばねが設置されていることを特徴とする請求項４に記載のアウトドアの救難信号発生装置。
【請求項６】
前記発光装置は前記回転空間の底壁に設置されたカム空間を含み、前記第一回転軸の底部末端が前記カム空間の中に伸びており、また前記第一回転軸の底部末端には第二カムが固定的に設置され、前記カム空間の前後両側の端壁には外部と連通した第三スライド穴が設置され、前記第三スライド穴の中には第三スライドロッドがスライド可能に設置され、前記警告灯が前記第三スライドロッドにおいて前記カム空間から離れた側の端壁に固定的に設置され、前記第三スライド穴の頂壁には下方に開口した第四スライド穴が設置され、前記第四スライド穴の中には前記第三スライドロッドの頂壁に形成されたロック溝と協働されたロックロッドがスライド可能に設置され、前記ロックロッドと前記第四スライド穴の頂壁との間には第四ばねが設置されていることを特徴とする請求項１に記載のアウトドアの救難信号発生装置。
【発明の詳細な説明】
【技術分野】
【０００１】
本願発明は信号分野に関わり、具体的にはアウトドアの救難信号発生装置である。
【背景技術】
【０００２】
アウトドアで探険する時、不確定の要素で危険が発生する。伝統的な救難方式とは、燃焼することで煙を立てて救難信号を発生させるのであり、こういう方式では、照明状況がよくないと効かなく、またこのような方式は樹木の邪魔を受けやすく、従い、上記の問題を改善するために、アウトドアの救難信号発生装置は必要となる。
【先行技術文献】
【特許文献】
【０００３】
【特許文献１】中国特許出願公開第１０１５７０１７０号明細書
【発明の概要】
【発明が解決しようとする課題】
【０００４】
本願発明はアウトドアの救難信号発生装置を提供し、既存の技術にある上記の欠点を解消し、設備の実用性を高めることを目的とする。
【課題を解決するための手段】
【０００５】
本願発明が採用する技術策は以下のとおりである。本願発明はアウトドアの救難信号発生装置であり、本体及び前記本体の頂壁に設置されて上方に開口したガス入れ空間を含み、前記ガス入れ空間の底壁にはエアバッグが固定的に設置され、前記エアバッグと前記ガス入れ空間の底壁に設置されかつ上方に開口したガス入れ口とが連通され、前記ガス入れ口の中には逆止弁が設置され、前記ガス入れ空間の底壁にはスライド板により上下二つの部分に仕切られた混合空間が設置され、前記混合空間の上下部分にはそれぞれ混合後に発生した大量の水素が貯蔵され、前記混合空間の底壁には回転空間が設置され、前記回転空間と前記混合空間との間には第一回転軸が回転可能に設置され、前記混合空間の中にある前記第一回転軸の末端には攪拌混合用の攪拌オールが設置され、前記回転空間の中にある前記第一回転軸の外表面には混合空間が固定的に設置され、前記混合空間の中に生み出された水素は前記混合空間と前記回転空間とを連通させる第一連通管を介して前記回転空間の中に入り、そして前記混合空間が駆動されて回転し、さらに前記攪拌オールを回転させることにより二つの物質を攪拌混合し、十分に混合してより多くの水素が生み出され、その後、水素は前記回転空間と前記ガス入れ口とを連通させた第二連通管を介して前記ガス入れ口の中に入り、さらに前記逆止め弁により前記エアバッグに入り、前記エアバッグに水素が入ると前記エアバッグが上方に膨張して前記ガス入れ空間の両側の揺動ドアを回転させて開け、この時、前記エアバッグが膨張し続けることにより発生した浮力で前記本体を上昇させ、
前記本体の底壁には下方に開口した凹溝が形成され、前記凹溝の端壁には固定板が設置され、前記凹溝の端壁には制動装置が設置され、前記制動装置の設置により前記固定板が前記凹溝から容易に離れなく、下方へ前記固定板の底部に設置されたプルリングを引くと前記凹溝の頂壁に設置された糸巻き装置が駆動されて回転し、そして前記スライド板が駆動されて左右両側に移動し、前記スライド板にある上下二つの物質は接触して水素を生み出し、水素の発生により生じた浮力が前記本体を上方に移動させられる時、前記糸巻き装置は前記本体の中間に設置された煙発生装置を作動させ、そして前記本体の中に大量の煙を発生させ、これにより救難信号を発信でき、
前記第一回転軸が回転して攪拌する時、前記本体の前後両側に設置された発光装置の中に設置された警告灯を前記本体から張り出し、また前記発光装置の中に設置された前記警告灯を発光させ、こうして警告信号を出し、夜に救難信号を発信できる。
【０００６】
前記制動装置は前記凹溝の端壁に中心対称に設置された四つの第一スライド穴を含み、前記第一スライド穴の中には第一スライドロッドがスライド可能に設置され、前記第一スライドロッドは末端が前記固定板の端壁に伸びた引っ掛かり溝の中に位置し、前記第一スライドロッドと前記第一スライド穴の端壁との間には第一ばねが設置されている。
【０００７】
前記糸巻き装置は前記凹溝の頂壁に設置された糸巻き空間を含み、前記糸巻き空間の左側には伝動空間が設置され、前記糸巻き空間の右側にも伝動空間が設置され、前記糸巻き空間の左側にある前記伝動空間と前記糸巻き空間の右側にある前記伝動空間とが対称であり、左右二つの前記伝動空間の間には前記糸巻き空間を貫通する第二回転軸が回転可能に設置され、前記伝動空間の中にある前記第二回転軸の末端には第一傘歯車が固定的に設置され、前記糸巻き空間の中にある前記第二回転軸の外表面にはリールが固定的に設置され、前記リールの外表面には引き紐が巻きつけられ、前記引き紐の末端が前記固定板と固定されている。
【０００８】
前記煙発生装置は前記糸巻き空間の頂壁に設置されたスライド空間を含み、前記スライド空間の底壁には上方に開口した貯蔵溝が形成され、前記スライド空間の端壁には外部に連通した通気孔が中心対称に設置され、前記スライド空間の中にはスライダがスライド可能に設置され、前記スライダの中には貯蔵空間が中心対称に設置され、前記貯蔵空間と前記貯蔵溝の中にはそれぞれ混合後に大量の煙を発生させられる物質が貯蔵され、前記貯蔵空間の頂壁には第二スライド穴が設置され、前記第二スライド穴の中には第二スライドロッドがスライド可能に設置され、前記第二スライドロッドと前記スライダの頂壁との間には第二ばねが設置され、前記第二スライドロッドの底部末端にはバルブが固定的に設置されている。
【０００９】
前記スライダの中には前記スライダを上下に貫通したねじ穴が左右対称に設置され、前記ねじ穴の中にはねじロッドがネジ山により連結され、前記ねじロッドの底部末端が前記伝動空間の中に伸びており、また前記ねじロッドの底部末端には前記第一傘歯車と噛み合った第二傘歯車が固定的に設置され、前記ねじロッドの頂部末端が前記混合空間の左右両側に対称に形成された押し溝の中に伸びており、前記押し溝の中にある前記ねじロッドの末端には前記スライド板と協働される第一カムが固定的に設置され、前記スライド板において前記混合空間から離れた側の末端が前記押し溝の中に伸びており、また前記スライド板において前記混合空間から離れた側の末端と前記押し溝の端壁との間には第三ばねが設置されている。
【００１０】
前記発光装置は前記回転空間の底壁に設置されたカム空間を含み、前記第一回転軸の底部末端が前記カム空間の中に伸びており、また前記第一回転軸の底部末端には第二カムが固定的に設置され、前記カム空間の前後両側の端壁には外部と連通した第三スライド穴が設置され、前記第三スライド穴の中には第三スライドロッドがスライド可能に設置され、前記警告灯が前記第三スライドロッドにおいて前記カム空間から離れた側の端壁に固定的に設置され、前記第三スライド穴の頂壁には下方に開口した第四スライド穴が設置され、前記第四スライド穴の中には前記第三スライドロッドの頂壁に形成されたロック溝と協働されたロックロッドがスライド可能に設置され、前記ロックロッドと前記第四スライド穴の頂壁との間には第四ばねが設置されている。
【発明の効果】
【００１１】
本願発明の効果は：本願発明に記載のアウトドアの救難信号発生装置は、救難信号の発信を容易に実現でき、本願発明に設置された煙信号と光源信号はそれぞれ昼間と夜に救難の信号とされ、遭難する人が生きる確率は高められ、それと同時に、本願発明は高いところまで上昇でき、樹木の邪魔を避けられ、効果がよく、信頼できる。
【図面の簡単な説明】
【００１２】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１３】
【図１】図１は本願発明の全体構成概略図
【図２】図２は図１におけるＡ―Ａの構成概略図
【図３】図３は図２におけるＢの拡大構成概略図
【図４】図４は図１におけるＣ―Ｃの構成概略図
【発明を実施するための形態】
【００１４】
図面１〜４に示しているアウトドアの救難信号発生装置は、本体１０及び前記本体１０の頂壁に設置されて上方に開口したガス入れ空間１１を含み、前記ガス入れ空間１１の底壁にはエアバッグ３７が固定的に設置され、前記エアバッグ３７と前記ガス入れ空間１１の底壁に設置されかつ上方に開口したガス入れ口１２とが連通され、前記ガス入れ口１２の中には逆止弁３６が設置され、前記ガス入れ空間１１の底壁にはスライド板３５により上下二つの部分に仕切られた混合空間３９が設置され、前記混合空間３９の上下部分にはそれぞれ混合後に発生した大量の水素が貯蔵され、前記混合空間３９の底壁には回転空間１５が設置され、前記回転空間１５と前記混合空間３９との間には第一回転軸１４が回転可能に設置され、前記混合空間３９の中にある前記第一回転軸１４の末端には攪拌混合用の攪拌オール１３が設置され、前記回転空間１５の中にある前記第一回転軸１４の外表面には混合空間３９が固定的に設置され、前記混合空間３９の中に生み出された水素は前記混合空間３９と前記回転空間１５とを連通させる第一連通管４１を介して前記回転空間１５の中に入り、そして前記混合空間３９が駆動されて回転し、さらに前記攪拌オール１３を回転させることにより二つの物質を攪拌混合し、十分に混合してより多くの水素が生み出され、その後、水素は前記回転空間１５と前記ガス入れ口１２とを連通させた第二連通管４０を介して前記ガス入れ口１２の中に入り、さらに前記逆止め弁３６により前記エアバッグ３７に入り、前記エアバッグ３７に水素が入ると前記エアバッグ３７が上方に膨張して前記ガス入れ空間１１の両側の揺動ドア３８を回転させて開け、この時、前記エアバッグ３７が膨張し続けることにより発生した浮力で前記本体１０を上昇させ、前記本体１０の底壁には下方に開口した凹溝４６が形成され、前記凹溝４６の端壁には固定板４７が設置され、前記凹溝４６の端壁には制動装置９９が設置され、前記制動装置９９の設置により前記固定板４７が前記凹溝４６から容易に離れなく、下方へ前記固定板４７の底部に設置されたプルリングを引くと前記凹溝４６の頂壁に設置された糸巻き装置９８が駆動されて回転し、そして前記スライド板３５が駆動されて左右両側に移動し、前記スライド板３５にある上下二つの物質は接触して水素を生み出し、水素の発生により生じた浮力が前記本体１０を上方に移動させられる時、前記糸巻き装置９８は前記本体１０の中間に設置された煙発生装置９７を作動させ、そして前記本体１０の中に大量の煙を発生させ、これにより救難信号を発信でき、
前記第一回転軸１４が回転して攪拌する時、前記本体１０の前後両側に設置された発光装置９５の中に設置された警告灯５４を前記本体１０から張り出し、また前記発光装置９５の中に設置された前記警告灯５４を発光させ、こうして警告信号を出し、夜に救難信号を発信できる。
【００１５】
有益なように、前記制動装置９９は前記凹溝４６の端壁に中心対称に設置された四つの第一スライド穴４４を含み、前記第一スライド穴４４の中には第一スライドロッド４２がスライド可能に設置され、前記第一スライドロッド４２は末端が前記固定板４７の端壁に伸びた引っ掛かり溝４５の中に位置し、前記第一スライドロッド４２と前記第一スライド穴４４の端壁との間には第一ばね４３が設置されている。
【００１６】
有益なように、前記糸巻き装置９８は前記凹溝４６の頂壁に設置された糸巻き空間４９を含み、前記糸巻き空間４９の左側には伝動空間２５が設置され、前記糸巻き空間４９の右側にも伝動空間２５が設置され、前記糸巻き空間４９の左側にある前記伝動空間２５と前記糸巻き空間４９の右側にある前記伝動空間２５とが対称であり、左右二つの前記伝動空間２５の間には前記糸巻き空間４９を貫通する第二回転軸５０が回転可能に設置され、前記伝動空間２５の中にある前記第二回転軸５０の末端には第一傘歯車２４が固定的に設置され、前記糸巻き空間４９の中にある前記第二回転軸５０の外表面にはリール５１が固定的に設置され、前記リール５１の外表面には引き紐４８が巻きつけられ、前記引き紐４８の末端が前記固定板４７と固定されている。
【００１７】
有益なように、前記煙発生装置９７は前記糸巻き空間４９の頂壁に設置されたスライド空間３０を含み、前記スライド空間３０の底壁には上方に開口した貯蔵溝２３が形成され、前記スライド空間３０の端壁には外部に連通した通気孔５２が中心対称に設置され、前記スライド空間３０の中にはスライダ２９がスライド可能に設置され、前記スライダ２９の中には貯蔵空間２７が中心対称に設置され、前記貯蔵空間２７と前記貯蔵溝２３の中にはそれぞれ混合後に大量の煙を発生させられる物質が貯蔵され、前記貯蔵空間２７の頂壁には第二スライド穴２０が設置され、前記第二スライド穴２０の中には第二スライドロッド１８がスライド可能に設置され、前記第二スライドロッド１８と前記スライダ２９の頂壁との間には第二ばね１９が設置され、前記第二スライドロッド１８の底部末端にはバルブ２２が固定的に設置されている。
【００１８】
有益なように、前記スライダ２９の中には前記スライダ２９を上下に貫通したねじ穴２８が左右対称に設置され、前記ねじ穴２８の中にはねじロッド３１がネジ山により連結され、前記ねじロッド３１の底部末端が前記伝動空間２５の中に伸びており、また前記ねじロッド３１の底部末端には前記第一傘歯車２４と噛み合った第二傘歯車２６が固定的に設置され、前記ねじロッド３１の頂部末端が前記混合空間３９の左右両側に対称に形成された押し溝３２の中に伸びており、前記押し溝３２の中にある前記ねじロッド３１の末端には前記スライド板３５と協働される第一カム３３が固定的に設置され、前記スライド板３５において前記混合空間３９から離れた側の末端が前記押し溝３２の中に伸びており、また前記スライド板３５において前記混合空間３９から離れた側の末端と前記押し溝３２の端壁との間には第三ばね３４が設置されている。
【００１９】
有益なように、前記発光装置９５は前記回転空間１５の底壁に設置されたカム空間１７を含み、前記第一回転軸１４の底部末端が前記カム空間１７の中に伸びており、また前記第一回転軸１４の底部末端には第二カム１６が固定的に設置され、前記カム空間１７の前後両側の端壁には外部と連通した第三スライド穴６０が設置され、前記第三スライド穴６０の中には第三スライドロッド５３がスライド可能に設置され、前記警告灯５４が前記第三スライドロッド５３において前記カム空間１７から離れた側の端壁に固定的に設置され、前記第三スライド穴６０の頂壁には下方に開口した第四スライド穴５７が設置され、前記第四スライド穴５７の中には前記第三スライドロッド５３の頂壁に形成されたロック溝５８と協働されたロックロッド５６がスライド可能に設置され、前記ロックロッド５６と前記第四スライド穴５７の頂壁との間には第四ばね５５が設置されている。
【００２０】
本実施例に記載の固定連結方法はボルトによる固定や溶接などの方法を含むが、これに限定されたものではない。
【００２１】
図１〜４に示すように、本願発明は初期状態に、前記第四ばね５５が圧縮された状態にある。
【００２２】
本願発明全体の機械動作の順序は下記の通りである。
【００２３】
１、本願発明は作動する時、前記本体１０を手で握り、その後、下方へ前記固定板４７を引き、前記固定板４７が下方へ前記第一スライドロッド４２を押し、そして前記第一スライドロッド４２を前記引っ掛かり溝４５から出し、同時に、前記固定板４７を前記凹溝４６から出し、前記凹溝４６が下方に移動する時に前記引き紐４８を引き、さらに前記リール５１が駆動されて回転し、前記リール５１の回転により前記第一傘歯車２４が駆動されて回転し、前記第二傘歯車２６が駆動されて回転し、前記ねじロッド３１が駆動されて回転し、前記ねじロッド３１が回転して前記第一カム３３を回転させ、前記スライド板３５を押して移動させ、左右二つの前記スライド板３５が互いに離れるように移動した後、前記スライド板３５の上方にある物質が前記スライド板３５の下方に置かれた物質と接触し、二つの物質が接触した後に水素を生み出し、前記混合空間３９の中に生じた水素は前記第一連通管４１を介して前記回転空間１５の中に入り、そして前記混合空間３９が駆動されて回転し、さらに前記攪拌オール１３を回転させることにより二つの物質を攪拌混合し、その後、水素は前記第二連通管４０を介して前記ガス入れ口１２の中に入り、さらに前記逆止め弁３６により前記エアバッグ３７に入り、前記エアバッグ３７に水素が入ると前記エアバッグ３７が上方に膨張して前記ガス入れ空間１１の両側の揺動ドア３８を回転させて開け、この時、前記エアバッグ３７が膨張し続けることにより発生した浮力で前記本体１０を上昇させ、
２、前記本体１０が上昇すると同時に、手で前記固定板４７を握り、前記本体１０の上昇とともに前記引き紐４８が長く引かれ、そして前記リール５１が駆動されて回転し、前記第二回転軸５０が駆動されて回転し、前記第一傘歯車２４及び前記第二傘歯車２６が駆動されて回転し、前記ねじロッド３１が駆動されて回転し、前記スライダ２９が上方に移動し、前記スライダ２９が上方に移動して前記第二スライドロッド１８を前記スライド空間３０の頂壁と当接させた時、前記第二スライドロッド１８が下方に移動し、この時、前記貯蔵空間２７の中に置かれた物質が前記貯蔵溝２３の中に落ちて前記貯蔵溝２３の中の物質と接触して大量の煙を生み出し、生み出された煙は前記通気孔５２を介して空気中に発散して救難信号を出し、
３、前記第一回転軸１４が回転すると前記第二カム１６を駆動して回転させ、そして前記第三スライドロッド５３が駆動されて移動し、前記警告灯５４が移動して前記本体１０から出、前記ロック溝５８が前記スライド穴５７と位置合わせた時、前記ロックロッド５６が前記第四ばね５５の作用により前記ロック溝５８の中に差し込まれて前記第三スライドロッド５３をロックし、この時、前記警告灯５４が発光し、夜に救難信号を出して救われる確率を高くする。
【００２４】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明はアウトドアの救難信号発生装置を開示した。
【解決手段】
本体及び前記本体の頂壁に設置されて上方に開口したガス入れ空間を含み、前記ガス入れ空間の底壁にはエアバッグが固定的に設置され、前記エアバッグと前記ガス入れ空間の底壁に設置されかつ上方に開口したガス入れ口とが連通され、前記ガス入れ口の中には逆止弁が設置され、本願発明に記載のアウトドアの救難信号発生装置は、救難信号の発信を容易に実現でき、本願発明に設置された煙信号と光源信号はそれぞれ昼間と夜に救難の信号とされ、遭難する人が生きる確率は高められ、それと同時に、本願発明は高いところまで上昇でき、樹木の邪魔を避けられ、効果がよく、信頼できる。
【選択図】図１【図１】
0006853428.tif 000002
【図２】
0006853428.tif 000003
【図３】
0006853428.tif 000004
【図４】
0006853428.tif 000005